(57)【要約】【課題】付加情報付きの動画コンテンツを表示するにあたり、ユーザが動画コンテンツを見逃した場合があっても、見逃した箇所の動画コンテンツの内容をユーザが効率的に把握できるように、付加情報付きの動画コンテンツを表示する。【解決手段】本発明のコンテンツ表示装置は、映像と付加情報とが互いに関連付けられている構造の動画コンテンツを受信し、上記映像および付加情報をいずれも表示部１１に表示するコンテンツ表示装置１０であって、上記映像を上記表示部に表示する映像表示部１２と、表示部１１に表示中の映像に関連付けられている上記付加情報と、当該表示中の映像以外の映像に関連付けられている上記付加情報とを、上記表示部１１に一覧にして表示する字幕表示部１２と、を備えている。【選択図】図１
2009218741.tif 000002
【特許請求の範囲】
【請求項１】
映像と付加情報とが互いに関連付けられている構造の動画コンテンツを受信し、上記映像および付加情報をいずれも表示部に表示するコンテンツ表示装置であって、
上記映像を上記表示部に表示する映像表示手段と、
上記表示部に表示中の映像に関連付けられている上記付加情報と、当該表示中の映像以外の映像に関連付けられている上記付加情報とを、上記表示部に一覧にして表示する付加情報表示手段と、
を備えていることを特徴とする、コンテンツ表示装置。
【請求項２】
上記付加情報表示手段は、上記表示中の映像に関連付けられた付加情報と、上記表示中の映像以外の映像に関連付けられている付加情報とを、異なる表示形態で上記表示部に表示することを特徴とする、請求項１に記載のコンテンツ表示装置。
【請求項３】
上記付加情報表示手段は、上記表示中の映像以外の映像に関連付けられている上記付加情報として、上記表示部に表示中の映像より一定時間前の映像に関連付けられている上記付加情報を、上記表示部に表示することを特徴とする、請求項１または２に記載のコンテンツ表示装置。
【請求項４】
上記付加情報表示手段は、上記表示中の映像以外の映像に関連付けられている上記付加情報として、上記表示部に表示中の映像より一定時間後の映像に関連付けられている上記付加情報を、上記表示部に表示することを特徴とする、請求項１から３までのいずれか１項に記載のコンテンツ表示装置。
【請求項５】
上記受信した動画コンテンツに含まれる映像を記録する映像記録手段と、
ユーザによる上記動画コンテンツの表示開始を示す表示開始指示を受け付ける表示開始入力手段と、をさらに備え、
上記表示開始入力手段が上記表示開始指示を受け付けた場合、
上記映像記録手段は、上記受信した動画コンテンツに含まれる映像の記録を開始し、
上記映像表示手段は、上記記録された映像を上記映像記録手段より読み出すとともに、上記受信手段が動画コンテンツを受信する受信速度よりも遅い速度で、上記読み出した映像を上記表示部に表示し、
上記付加情報表示手段は、上記受信した動画コンテンツに含まれる上記付加情報を、上記受信速度と同じ速度で、上記表示部に表示することを特徴とする、請求項１から３までのいずれか１項に記載のコンテンツ表示装置。
【請求項６】
上記映像表示手段は、
上記表示部に表示されている付加情報のデータ量が、所定のデータ量となった時点で、上記受信速度と同じ速度で上記映像を表示することを特徴とする、請求項５に記載のコンテンツ表示装置。
【請求項７】
上記映像表示手段は、
上記表示開始入力手段が上記表示開始指示を受け付けた時点から、上記映像を表示する速度が上記受信速度と同じになる時点までの間、上記映像を表示する速度を逐次増加させることを特徴とする、請求項６に記載のコンテンツ表示装置。
【請求項８】
上記表示部に表示された付加情報を記録する付加情報記録手段と、
過去に表示部に表示された付加情報の再表示を示す再表示指示を、ユーザより受け付ける再表示入力手段と、をさらに備え、
上記再表示入力手段が上記再表示指示を受け付けた場合、
上記付加情報表示手段は、上記過去に表示された付加情報を、上記付加情報記録手段より読み出し、上記読み出した付加情報を、上記表示部に再表示することを特徴とする、請求項１から７までのいずれか１項に記載のコンテンツ表示装置。
【請求項９】
上記表示部に表示された付加情報のうち、上記ユーザによって１つの付加情報が選択されたことを示す選択指示を受け付ける選択受付手段と、
上記付加情報記録手段が記録する付加情報に関連付けられた、映像または当該映像の一部である静止画を記録する画像記録手段と、をさらに備え、
上記選択受付手段が上記選択指示を受け付けた場合、
上記映像表示手段は、上記選択された付加情報に関連付けられた上記映像または上記静止画を、上記画像記録手段より読出し、当該読み出した上記映像または上記静止画を上記表示部に表示することを特徴とする、請求項１から８までのいずれか１項に記載のコンテンツ表示装置。
【請求項１０】
映像および付加情報とが互いに関連付けられている構造の動画コンテンツを受信し、上記映像および付加情報をいずれも表示部に表示するコンテンツ表示方法であって、
上記映像を上記表示部に表示する映像表示ステップと、
上記表示部に表示中の映像に関連付けられている上記付加情報と、当該表示中の映像以外の映像に関連付けられている上記付加情報とを、上記表示部に一覧にして表示する付加情報表示ステップと、
を備えていることを特徴とする、コンテンツ表示方法。
【請求項１１】
請求項１から９までのいずれか１項に記載のコンテンツ表示装置を動作させるプログラムであって、コンピュータを上記の各手段として機能させるためのプログラム。
【請求項１２】
請求項１１に記載のプログラムを記録しているコンピュータ読み取り可能な記録媒体。
【発明の詳細な説明】
【技術分野】
【０００１】
本発明は、映像と当該映像に表示時刻を介して関連付けられている付加情報とを含む動画コンテンツの内容を、ユーザが効率よく把握するコンテンツ表示装置、コンテンツ表示方法、プログラム、および記録媒体に関するものである。
【背景技術】
【０００２】
近年、耳の不自由な人に配慮し、音声を聞かなくても内容を理解できるようにするため、字幕などの付加情報を、映像とあわせて表示画面に表示する放送番組が増えている。
【０００３】
このような放送番組は、通常、付加情報と映像とを表示時刻ごとに関連付けた状態で、テレビジョン装置などの映像表示装置に配信される。また、近年のデジタル放送技術の進展に伴い、デジタルテキストデータとしての付加情報と、デジタル映像データとしての映像情報とを、タイムスタンプなどの時間情報を介して互いに関連付けた構造のデジタル動画データとして、配信される。
【０００４】
従来、このような付加情報付きの動画コンテンツを表示画面に表示する際、映像を表示画面に表示するとともに、表示中の映像に関連付けられた付加情報も合わせて表示画面に表示している。このように、映像と、当該映像に関連付けられた付加情報とを、表示画面に表示することにより、ユーザは、表示された付加情報を確認することによって、動画コンテンツの内容をより効率よく把握することが可能であり、さらに、音声なしで動画コンテンツの内容を把握することができるようになる。
【０００５】
また、動画コンテンツに含まれる字幕などの付加情報を用いて、ユーザが効率よく動画コンテンツの内容を把握できる従来技術が、他にもいくつか知られている。たとえば、特許文献１には、映像データに多重化された字幕情報を取り出して前記映像と共に蓄積し、蓄積された字幕情報の中からユーザが所望するシーン適合する箇所を検出し、その字幕の提示タイミングに相当する映像に画像解析あるいは音声解析を適用し、シーンを抽出する映像検索装置が開示されている。
【０００６】
さらに他の従来技術として、特許文献２には、字幕付きコンテンツの通常再生中に過去の字幕情報を効率的に検索して見直すことが容易で、希望により過去の字幕情報を含んだ映像シーンの頭だし制御を行って通常再生を再開できる光ディスク再生装置が開示されている。
【特許文献１】特開２００５−１１５６０７号公報（平成１７年４月２８日公開）
【特許文献２】特開２００７−１５８９５９号公報（平成１９年６月２１日公開）
【発明の開示】
【発明が解決しようとする課題】
【０００７】
しかしながら、従来の、映像と当該映像に関連付けられた付加情報とを表示画面に表示する方法では、ユーザが動画コンテンツの内容を把握できない状況が発生する。具体的には、映像の表示時間の経過に伴い、表示画面に表示される付加情報は、次々に切換わってしまう。したがって、ユーザが表示された付加情報を見落としたり、表示画面を見ることができない時間が発生すると、ユーザは、見逃した箇所の動画コンテンツの内容を把握できなくなる。上記のような、見逃した箇所の動画コンテンツの内容をユーザが把握するためには、ユーザは、表示中の動画コンテンツを一旦停止して、見逃した箇所まで動画コンテンツを巻き戻し、再度表示画面に表示する必要がある。つまり、動画コンテンツを表示しつつ見逃した箇所の内容を把握することができないため、ユーザにとっては巻き戻し等の煩雑な操作が必要になるという問題点が生じる。
【０００８】
また、特許文献１および２に開示された構成は、字幕情報を用いて、ユーザが所望する映像を検索および抽出するものであり、見逃した箇所の動画コンテンツの内容をユーザが把握するためには、既に上述した従来の方法と同様に、見逃した箇所まで動画コンテンツを巻き戻す必要がある。したがって、特許文献１および２に開示された構成を用いても、上述した問題点を解決することはできない。
【０００９】
本発明は、上記の問題点に鑑みてなされたものであり、その目的は、映像と付加情報とが互いに関連付けられた構造の動画コンテンツを表示するにあたり、ユーザが動画コンテンツを見逃した場合があっても、見逃した箇所の動画コンテンツの内容をユーザが効率的に把握できるように、上記構造の動画コンテンツを表示する、コンテンツ表示装置、コンテンツ表示方法、プログラム、および記録媒体を提供することにある。
【課題を解決するための手段】
【００１０】
本発明にコンテンツ表示装置は、上記の課題を解決するために、
映像と付加情報とが互いに関連付けられている構造の動画コンテンツを受信し、上記映像および付加情報をいずれも表示部に表示するコンテンツ表示装置であって、上記映像を上記表示部に表示する映像表示手段と、上記表示部に表示中の映像に関連付けられている上記付加情報と、当該表示中の映像以外の映像に関連付けられている上記付加情報とを、上記表示部に一覧にして表示する付加情報表示手段と、を備えていることを特徴としている。
【００１１】
上記の構成によれば、映像表示手段は、動画コンテンツに含まれる映像を、表示部に表示するとととに、付加情報表示手段は、表示部に表示中の映像に関連付けれらた付加情報と、表示中の映像以外の映像に関連付けられている上記付加情報とを、表示部に表示する。つまり、付加情報表示手段は、表示部に表示中の映像に関連付けられている付加情報だけでなく、表示部に表示中の映像以外の映像に関連付けられた付加情報、言い換えれば、表示部に表示中の映像より前もしくは後の映像に関連付けられた付加情報を、表示部に表示する。このことから、ある任意の映像および該映像に関連付けられた付加情報の表示について説明すると、この付加情報は、関連付けられている映像が表示部に表示されている間だけ、表示部に表示されるのではなく、この映像が表示部に表示される前もしくは表示された後にも、表示部に表示される。
【００１２】
ここで、ユーザが動画コンテンツが表示された表示部より目を離して、動画コンテンツに見逃した箇所が発生したとしても、付加情報表示手段は、見逃した箇所に対応する付加情報を、ユーザが表示部から目を離す前もしくは後にも、表示部に表示している。したがって、ユーザは、見逃した箇所に対応する付加情報を、表示部から目を離した時間以外の時間において確認することができる。
【００１３】
以上により、本発明のコンテンツ表示装置は、映像と付加情報とが互いに関連付けられた構造の動画コンテンツを表示するにあたり、ユーザが動画コンテンツを見逃した場合があっても、見逃した箇所の動画コンテンツの内容をユーザが効率的に把握できるように、上記構造の動画コンテンツを表示できるという効果を奏する。
【００１４】
本発明に係るコンテンツ表示方法は、上記の課題を解決するために、
映像および付加情報とが互いに関連付けられている構造の動画コンテンツを受信し、上記映像および付加情報をいずれも表示部に表示するコンテンツ表示方法であって、上記映像を上記表示部に表示する映像表示ステップと、上記表示部に表示中の映像に関連付けられている上記付加情報と、当該表示中の映像以外の映像に関連付けられている上記付加情報とを、上記表示部に一覧にして表示する付加情報表示ステップと、を備えていることを特徴としている。
【００１５】
上記の構成によれば、本発明に係るコンテンツ表示装置と同様の作用効果を奏する。
【００１６】
また、本発明に係るコンテンツ表示装置では、さらに、
上記付加情報表示手段は、上記表示中の映像に関連付けられた付加情報と、上記表示中の映像以外の映像に関連付けられている付加情報とを、異なる表示形態で上記表示部に表示することが好ましい。
【００１７】
上記の構成を備えたことにより、コンテンツ表示装置は、表示部に表示中の映像に関連付けられた映像と、上記表示中の映像以外の映像に関連付けられている付加情報とを、ユーザが区別できるように、表示部に表示できる。したがって、ユーザは、表示部に一覧表示された複数の付加情報のうち、現在表示部に表示されている映像に対応する付加情報が、どの付加情報なのかを瞬時に認識でき、動画コンテンツの内容をより効率よく把握できる。
【００１８】
また、本発明に係るコンテンツ表示装置では、さらに、
上記付加情報表示手段は、当該表示中の映像以外の映像に関連付けられている上記付加情報として、上記表示部に表示中の映像より一定時間前の映像に関連付けられている上記付加情報を、上記表示部に表示することが好ましい。
【００１９】
上記の構成によれば、映像表示手段は、動画コンテンツに含まれる映像を、表示部に表示するとともに、付加情報表示手段は、表示部に表示中の映像に関連付けれらた付加情報と、表示中の映像より一定時間前までの映像に関連付けれた付加情報とを、表示部に表示する。つまり、付加情報表示手段は、表示部に表示される映像が切換わった後も、切換わった映像に関連付けられた、言い換えれば、過去に表示された映像に関連付けられた付加情報を、表示部に一定時間表示し続けることになる。
【００２０】
ここで、ユーザが動画コンテンツが表示された表示部より目を離して、動画コンテンツに見逃した箇所が発生したとしても、付加情報表示手段は、見逃した箇所に対応する映像が表示部に表示されなくなった後も、見逃した箇所に対応する付加情報を、表示部に表示する。したがって、ユーザは、表示部から目を離した後でも、表示部に表示された付加情報の一覧の中から、見逃した箇所に対応する付加情報を確認することができる。これにより、ユーザは、動画コンテンツの巻き戻しなどの煩雑な操作を行うことなく、見逃した箇所に対応する動画コンテンツの内容を把握できる。
【００２１】
また、本発明に係るコンテンツ表示装置では、さらに、
上記付加情報表示手段は、上記表示中の映像以外の映像に関連付けられている上記付加情報として、上記表示部に表示中の映像より一定時間後の映像に関連付けられている上記付加情報を、上記表示部に表示することが好ましい。
【００２２】
上記の構成を備えたことにより、コンテンツ表示装置は、付加情報表示手段によって、表示中の映像よりも一定時間後に表示される映像に関連付けれらた付加情報を、表示部に表示できる。これにより、ユーザにとって、表示される動画コンテンツの内容を、より効率的に把握できる。
【００２３】
また、本発明に係るコンテンツ表示装置は、さらに、
上記受信した動画コンテンツに含まれる映像を記録する映像記録手段と、ユーザによる上記動画コンテンツの表示開始を示す表示開始指示を受け付ける表示開始入力手段と、をさらに備え、上記表示開始入力手段が上記表示開始指示を受け付けた場合、上記映像記録手段は、上記受信した動画コンテンツに含まれる映像の記録を開始し、上記映像表示手段は、上記記録された映像を上記映像記録手段より読み出すとともに、上記受信手段が動画コンテンツを受信する受信速度よりも遅い速度で、上記読み出した映像を上記表示部に表示し、上記付加情報表示手段は、上記受信した動画コンテンツに含まれる上記付加情報を、上記受信速度と同じ速度で、上記表示部に表示することが好ましい。
【００２４】
上記構成によれば、表示開始入力手段が、ユーザより表示開始指示を受け付けると、受信した動画コンテンツに含まれる映像の記録を、映像記録手段が開始するとともに、映像表示手段は、映像記録手段が記録した映像を読出し、動画コンテンツの受信速度よりも遅い速度で、表示部に表示する。一方、付加情報表示手段は、受信した動画コンテンツに含まれる付加情報を、動画コンテンツの受信速度と同じ速度で、表示部に表示する。
【００２５】
このように、コンテンツ表示装置は、映像を、動画コンテンツの受信速度よりも遅く速度で表示部に表示するとともに、付加情報を、動画コンテンツの受信速度と同じ速度で表示部に表示することにより、表示開始指示の受付から一定時間経過後には、付加情報表示手段によって、表示中の映像よりも後に表示される映像に関連付けられた付加情報を、表示部に表示できる。
【００２６】
これにより、コンテンツ表示装置は、ユーザからの表示開始指示受付直後から、映像を表示部に表示でき、かつ、表示開始指示を受け付けた時点から一定時間経過すると、表示中の映像よりも後に表示される映像に関連付けられた付加情報を、表示部に表示できるという効果を奏する。
【００２７】
また、本発明に係るコンテンツ表示装置では、さらに、
上記映像表示手段は、上記表示部に表示されている付加情報のデータ量が、所定のデータ量となった時点で、上記受信速度と同じ速度で上記映像を表示することが好ましい。
【００２８】
まず、上述したように、表示開始指示の受け付けた後、映像表示手段は、付加情報の表示速度よりも遅い速度で、映像を表示部に表示している。したがって、表示開始指示の受付時点からの時間の経過とともに、表示部に表示される、表示中の映像よりも前に表示された映像に関連付けられた付加情報と、表示中の映像よりも後に表示される映像に関連付けられた付加情報とは、それぞれ増加することになる。
【００２９】
また、すでに述べたように、映像の表示速度を、付加情報の表示速度よりも遅くすることの目的は、ユーザからの表示開始指示受付直後から、映像を表示部に表示し、かつ、表示中の映像よりも後に表示される映像に関連付けられた付加情報を、表示部に表示することである。このことから、表示開始指示の受付から時間経過し、表示中の付加情報のデータ量が一定のデータ量に達した時点で、上記の目的は達成されたことになる。したがって、この時点で、映像表示部が、動画コンテンツの受信速度と同じ速度で、言い換えれば、本来の表示速度で、映像を表示することにより、本発明のコンテンツ表示装置は、上記の目的を達成したうえで、ユーザにとって違和感のない表示速度で、映像を表示できることになる。
【００３０】
また、本発明に係るコンテンツ表示装置は、さらに、
上記映像表示手段は、上記表示開始入力手段が上記表示開始指示を受け付けた時点から、上記映像を表示する速度が上記受信速度と同じになる時点までの間、上記映像を表示する速度を逐次増加させることが好ましい。
【００３１】
まず、コンテンツ表示装置は、ユーザからの表示開始指示の受付から時間が経過し、表示中の付加情報のデータ量が一定のデータ量に達した時点で、映像の表示速度を、動画コンテンツの受信速度と同じ速度に切換える。
【００３２】
ここで、上記のように、映像表示手段が、表示開始指示を受け付けた時点から、上記映像を表示する速度が上記受信速度と同じになる時点までの間に、映像を表示する速度を逐次増加させることとにより、コンテンツ表示装置は、この映像の表示速度の切換えによってユーザが感じる違和感を、低減することができる。
【００３３】
また、本発明に係るコンテンツ表示装置は、さらに、
上記表示部に表示された付加情報を記録する付加情報記録手段と、過去に表示部に表示された付加情報の再表示を示す再表示指示を、ユーザより受け付ける再表示入力手段と、をさらに備え、上記再表示入力手段が上記再表示指示を受け付けた場合、上記付加情報表示手段は、上記過去に表示された付加情報を、上記付加情報記録手段より読み出し、上記読み出した付加情報を、上記表示部に再表示することが好ましい。
【００３４】
上記の構成を備えたことにより、ユーザが上記の再表示指示を再表示入力手段に入力したときに、コンテンツ表示装置は、ユーザの再表示指示に基づいて、過去に表示部に表示された付加情報を再表示できる。これにより、ユーザは、表示部に表示されなくなった過去の付加情報を確認することが可能となる。
【００３５】
また、本発明に係るコンテンツ表示装置は、さらに、
上記表示部に表示された付加情報のうち、上記ユーザによって１つの付加情報が選択されたことを示す選択指示を受け付ける選択受付手段と、上記付加情報記録手段が記録する付加情報に関連付けられた、映像または当該映像の一部である静止画を記録する画像記録手段と、をさらに備え、上記選択受付手段が上記選択指示を受け付けた場合、上記映像表示手段は、上記選択された付加情報に関連付けられた上記映像または上記静止画を、上記画像記録手段より読出し、当該読み出した上記映像または上記静止画を上記表示部に表示することが好ましい。
【００３６】
上記構成を備えたことにより、コンテンツ表示装置は、ユーザが選択した付加情報に関連付けられた映像を、表示部に表示できる。これにより、ユーザは、表示部に一覧表示された付加情報から、付加情報を選択することにより、所望の映像を再確認できる。
【００３７】
さらに、映像表示手段によって表示部に表示された映像のうち、画像記録手段が、付加情報ごとに特定の映像を静止画として選択して、記録することにより、表示部に表示された映像を全て記録する場合に比べ、コンテンツ表示装置が備える画像記録手段の容量を削減することができる。
【００３８】
（プログラムおよび記録媒体）
なお、上記コンテンツ表示装置は、コンピュータによって実現してもよい。この場合、コンピュータを上記各手段として動作させることにより上記コンテンツ表示装置をコンピュータにおいて実現するプログラム、およびそのプログラムを記録したコンピュータ読み取り可能な記録媒体も、本発明の範疇に入る。
【発明の効果】
【００３９】
本発明のコンテンツ表示装置は、以上のように、映像と付加情報とが互いに関連付けられている構造の動画コンテンツを受信し、上記映像および付加情報をいずれも表示部に表示するコンテンツ表示装置であって、上記映像を上記表示部に表示する映像表示手段と、
上記表示部に表示中の映像に関連付けられている上記付加情報と、当該表示中の映像以外の映像に関連付けられている上記付加情報とを、上記表示部に一覧にして表示する付加情報表示手段と、を備えている。
【００４０】
また、本発明のコンテンツ表示方法は、以上のように、映像および付加情報とが互いに関連付けられている構造の動画コンテンツを受信し、上記映像および付加情報をいずれも表示部に表示するコンテンツ表示方法であって、上記映像を上記表示部に表示する映像表示ステップと、上記表示部に表示中の映像に関連付けられている上記付加情報と、当該表示中の映像以外の映像に関連付けられている上記付加情報とを、上記表示部に一覧にして表示する付加情報表示ステップと、を備えている。
【００４１】
したがって、本発明のコンテンツ表示装置、およびコンテンツ表示方法は、映像と付加情報とが互いに関連付けられた構造の動画コンテンツを表示するにあたり、ユーザが動画コンテンツを見逃した場合があっても、見逃した箇所の動画コンテンツの内容をユーザが効率的に把握できるように、上記構造の動画コンテンツを表示できる。
【発明を実施するための最良の形態】
【００４２】
以下、本発明に係る実施形態を図面に基づいて説明する。
【００４３】
（コンテンツ表示装置１０の構成）
本実施形態に係るコンテンツ表示装置１０の構成について、図１を参照して以下に説明する。図１は、コンテンツ表示装置１０の構成を示すブロック図である。同図に示すように、コンテンツ表示装置１０は、表示部１１、映像表示部１２（映像表示手段）、字幕表示部１３（付加情報表示手段）、記録部１４、ユーザ操作入力部１５（表示開始入力手段、再表示入力手段、選択指示入力手段）、およびコンテンツ受信部１６を備えている。さらに、記録部１４は、映像記録部１７（映像記録手段）、画像記録部１８（画像記録手段）、および字幕記録部１９（付加情報記録手段）を備えている。なお、これらの部材がどのような機能を有するのかについては、以下に詳述する。
【００４４】
（動画表示および字幕一覧表示の概略）
コンテンツ表示装置１０による動画再生の概略について、図２を参照して説明する。図２は、本実施形態に係るコンテンツ表示装置１０による字幕付き動画コンテンツの表示を概略的に示す図である。
【００４５】
本実施形態のコンテンツ表示装置１０は、字幕（付加情報）と映像とが互いに関連付けられている構造の動画コンテンツを表示部１１にする。この動画コンテンツにおいては、字幕と映像とは、互いに同期して表示されるための時間情報であるタイムスタンプを介して、関連付けられている。また、この動画コンテンツ内には、複数の字幕と、動画を構成する複数の映像とを含んでいる。各映像のうち少なくとも一部には、そのタイムスタンプを介して、字幕が関連付けられている。必ずしもすべての映像に字幕が関連付けられているわけではなく、動画コンテンツ内には字幕のない映像も多数、存在する。コンテンツ表示装置１０では、字幕表示部１３が字幕を表示部１１に表示し、一方、映像表示部１２が映像を表示部１１に表示する。なお、本実施形態においては、この動画コンテンツは、コンテンツ受信部１６が、放送電波を受信することによって取得するものとするが、本発明はこれに限るものではなく、コンテンツ受信部１６が、ネットワークを介してストリーミングを受信することによって取得するものであってもよいし、コンテンツ受信部１６に接続するデータベースより取得するものであってもよい。さらに、本実施形態においては、動画コンテンツが含む映像に関連付けられた付加情報を字幕としているが、本発明はこれに限るものではなく、動画コンテンツの内容を記述したメタデータなどの文字情報や、画像や映像などのデータであってもよい。また、コンテンツ表示装置１０は、映像の表示に合わせて該映像に対応する音声を出力する音声出力手段（図示しない）を備えてもよい。
【００４６】
図２の例では、コンテンツ表示装置１０は、字幕群２３および映像２１を含んでいる画面２０を表示部１１に表示している。字幕群２３は、字幕２４などの複数の字幕によって構成されている。また、図２に示す映像２１が表示されている表示領域には、複数の映像が順次表示されることによって動画が表示される。図２においては、映像２１を表示している時点の画面を示している。
【００４７】
また、字幕群２３を構成する各字幕と、動画を構成する各映像とは、それぞれのタイムスタンプを介して互いに関連付けられている。たとえば図２の例では、タイムスタンプを介して、字幕２４および映像２１が互いに関連付けられている。したがって、もし従来のコンテンツ表示装置が図２の動画コンテンツを表示する場合、表示画面に映像２１を表示しているときには、字幕２４のみを表示画面に表示することになる。
【００４８】
一方、本実施形態のコンテンツ表示装置１０は、表示部１１に映像を表示するとともに、表示中の映像にタイムスタンプを介して関連づけられた字幕と、少なくとも、表示中の映像よりも一定時間前までの映像に関連付けられた字幕とを、表示部１１に表示する。図２の例では、映像表示部１２が、映像２１を表示部１１に表示する。その一方で、字幕表示部１３が、映像２１に関連付けられた字幕２４と、映像２１より一定時間前までの映像に対応する字幕群とを、表示部１１に表示する。つまり、表示中の映像と該映像に対して一定時間前の映像とに対応する字幕が、同時に表示部１１に表示されている。
【００４９】
これにより、ユーザは、ある瞬間に表示部１１から目を離したとしても、その後、表示部１１に表示された字幕群を確認することにより、見逃した動画コンテンツの内容を確認できる。つまり、ユーザは、見逃した動画コンテンツがあったとしても、動画コンテンツの巻き戻しなどの操作を行うことなく、見逃した動画コンテンツの内容を把握できる。
【００５０】
（動画表示および字幕一覧表示の具体例１）
コンテンツ表示装置１０が実行する動画表示および字幕一覧表示の具体例について、図３を参照してより詳しく説明する。図３は、本実施形態に係るコンテンツ表示装置１０が表示部１１に表示する画面３０を示す図である。
【００５１】
コンテンツ表示装置１０が、図３に示す画面３０を表示部１１に表示するとき、画面３０の左側に、映像表示部１２が映像３１を表示する。一方、字幕表示部１３は、画面３０の右側に、映像３１に関連付けられた字幕３５と、映像３１より一定時間前後の映像に対応する字幕とを、一覧にして字幕群３４としてスクロール表示する。また、字幕群３４において、字幕３５より上側に表示された字幕群は、表示中の映像３１より一定時間前に表示された映像に関連付けられた字幕群であり、字幕３５より下側に表示された字幕群は、表示中の映像３１より一定時間後に表示される映像に関連付けられた字幕群である。
【００５２】
このように、コンテンツ表示装置１０は、映像３１を画面３０の左側に表示し、字幕群３４を画面３０の左側に表示することにより、テレビなどの、横長の画面に対応した画面を表示できる。なお、コンテンツ表示装置１０が画面３０を表示部１１に表示する際の、各部材の詳細な動作説明は後述とする。
【００５３】
また、図３に示すように、表示部１１は、画面３０にデータ放送表示領域３２を、表示してもよい。このデータ放送表示領域３２には、コンテンツ受信部１６が受信するデータ放送の情報が表示される。
【００５４】
（映像に対応する字幕にマーカー）
また、図３に示すように、字幕表示部１３は、現在表示中の映像３１に関連付けられた字幕３５と、字幕群３４に含まれる字幕３５以外の字幕とを、異なる表示形態で表示している。具体的には、映像３１に関連付けられた字幕３５の背景色と、字幕３５以外の字幕の背景色とを、異なる色にしている。これにより、ユーザは、画面３０に映し出された字幕群３４の中から、映像３１に対応する字幕がどれなのかを即座に認識できる。これにより、ユーザは、画面３０に映し出された映像と字幕との対応を把握し易くなり、コンテンツ表示装置１０によって表示される動画コンテンツの内容を、より効率的に把握できることになる。なお、本実施形態においては、字幕３５とこれ以外の字幕との背景色を異なるものとしたが、ユーザが字幕３５とこれ以外の字幕とを区別できるものであれば、本発明はこれに限るものではない。
【００５５】
（字幕のスクロール）
また、表示部１１は、ボタン群３３を画面３０に表示している。このボタン群３３をユーザが押下することにより、コンテンツ表示装置１０は、ユーザからの操作指示に基づいて、表示部１１に表示する字幕を切換える。より具体的には、図３に示すように、例えば、「前字幕」または「前ページ」のボタンをユーザが押下すると、ユーザ操作入力部１５は、現在表示中の字幕群３４の直前に表示された字幕を再表示する再表示指示を、字幕表示部１３に出力する。ここで、字幕表示部１３によって表示部１１に表示された字幕は、字幕記録部１９に記録されている。字幕表示部１３は、再表示指示を出力されると、押されたボタンに対応する過去に表示した字幕を、字幕記録部１９より読み出し、現在表示中の字幕をスクロールして表示部１１に表示する。
【００５６】
一方、「次字幕」または「次ページ」のボタンをユーザが押下すると、ユーザ操作入力部１５が、ボタンが押下されたことを検出し、字幕表示部１３に、現在表示中の字幕群３４よりもさらに後の字幕を表示する指示を出力する。字幕表示部１３は、この指示を出力されると、字幕記録部１９より、現在表示中の字幕群３４よりもさらに後の字幕を読出し、現在表示中の字幕をスクロールして表示部１１に表示する。なお、この機能は、字幕記録部１９が、現在表示中の字幕群３４よりも後の字幕を、予め記録していることが前提となるため、データベースより予め字幕を全て取得している場合や、受信した動画コンテンツに含まれる字幕を、表示部１１に表示する一定時間前に、字幕記録部１９が記録する場合に使用可能な機能である。
【００５７】
（字幕の文字サイズ・表示行数を変更）
また、本実施形態に係るコンテンツ表示装置１０は、表示部１１に表示する字幕の文字サイズを変更することが可能である。具体的には、コンテンツ表示装置１０が、ユーザが字幕の文字サイズを選択可能なボタンを備え、ユーザがこのボタンを介して文字サイズを指定することにより、字幕表示部１３は、このユーザによって指定された文字サイズに基づき、表示部１１に表示する字幕の文字サイズを変更する。なお、ユーザが字幕の文字サイズを選択するための手段として、コンテンツ表示装置１０は、例えば、「大」、「中」、「小」のなどの選択メニューを、画面３０上に表示する構成であってもよいし、別途、文字サイズを受け付ける、選択ボタンを設ける構成であってもよい。
【００５８】
さらに、本実施形態に係るコンテンツ表示装置１０は、表示部１１に表示する字幕の行数を変更することが可能である。具体的には、コンテンツ表示装置１０が、ユーザが表示される字幕の行数を選択可能なボタンを備え、ユーザがこのボタンを介して表示される字幕の行数を指定することにより、字幕表示部１３は、このユーザによって指定された字幕の行数に基づき、表示部１１に表示する字幕の行数を変更する。なお、ユーザが字幕の行数を選択するための手段として、コンテンツ表示装置１０は、例えば、「３行」、「５行」、「７行」のなどの選択メニューを、画面３０上に表示する構成であってもよいし、別途、字幕の行数を受け付ける、選択ボタンを設ける構成であってもよい。
【００５９】
また、コンテンツ表示装置１０は、ユーザによって指定された字幕の文字サイズに応じて、表示部１１に表示する字幕の文字サイズを変更するとともに、表示部１１に表示する字幕の行数も合わせて変更する構成であってもよい。反対に、コンテンツ表示装置１０は、ユーザによって指定された字幕の行数に応じて、表示部１１に表示する字幕の行数を変更するとともに、表示部１１に表示する字幕の文字サイズも合わせて変更する構成であってもよい。
【００６０】
以上のように、コンテンツ表示装置１０は、表示部１１に表示する字幕の文字サイズや行数を変更可能な構成を備えることにより、視力が衰えたユーザや、多くの情報の表示を好むユーザに対応することができる。
【００６１】
（動画表示および字幕一覧表示の具体例２）
コンテンツ表示装置１０が実行する動画表示および字幕一覧表示の他の具体例について、図４を参照してより詳しく説明する。図４は、本実施形態に係るコンテンツ表示装置１０が表示部１１に表示する画面４０を示す図である。
【００６２】
コンテンツ表示装置１０が、図４に示す画面４０を表示部１１に表示するとき、画面４０の上側に、映像表示部１２が映像４１を表示する。一方、字幕表示部１３は、画面４０の下側に、映像４１に関連付けられた字幕４５と、映像４１より一定時間前後の映像に対応する字幕とを、一覧にして字幕群４４としてスクロール表示する。
【００６３】
このように、コンテンツ表示装置１０は、映像４１を画面４０の上側に表示し、字幕群４４を画面４０の下側に表示することにより、携帯電話等の縦長の画面に対応した画面を表示できる。なお、コンテンツ表示装置１０が画面４０を表示部１１に表示する際の、各部材の詳細な動作説明は後述とする。
【００６４】
また、図４に示す画面４０においても、字幕表示部１３は、現在表示中の映像４１に関連付けられた字幕４５と、字幕４５以外の字幕とを、異なる表示形態で表示している。これによる効果はすでに述べたとおりである。また、表示部１１が画面４０に表示するボタン群４３は、図３に示すボタン群３３と同様の機能を有するものであるため、ここではその詳細な説明は省略する。
【００６５】
（コンテンツ表示装置の基本動作）
次に、コンテンツ表示装置における、各部材の動作について、図１および図５を参照して以下に説明する。図５は、図４に示す画面４０と、コンテンツ表示装置１０内に記録される映像および表示部１１に表示される字幕との関係を示す図である。
【００６６】
まず、コンテンツ受信部１６が放送電波より動画コンテンツを受信する。受信した動画コンテンツに含まれる映像を、映像記録部１７が記録する。映像記録部１７において所定の時間記録された映像を、映像表示部１２が読出し、表示部１１に順次表示する（映像表示ステップ）。つまり、図５に示すように、コンテンツ受信部１６によって受信されてから、映像表示部１２によって表示されるまで、動画コンテンツに含まれる映像は、所定の時間、映像記録部１７によって記録されることになる。
【００６７】
一方、コンテンツ受信部１６が受信した動画コンテンツに含まれる字幕を、字幕表示部１３は、コンテンツ受信部１６より入力され、この入力された字幕を表示部１１に表示する。これにより、映像と、この映像に関連付けられた字幕とは、互いに異なるタイミングで、言い換えれば、映像が表示されるよりも所定時間早く、関連付けられた字幕が表示部１１に表示されることになる。この結果、図５に示すように、映像４１の後に続く映像に関連付けられた字幕を、字幕表示部１３は、表示部１１に表示できる。さらに、字幕表示部１３は、表示中の映像４１に関連付けられた字幕４５と、映像４１より一定時間前に表示された映像に関連付けられた字幕とを、表示部１１に表示する（字幕表示ステップ）。これにより、図５に示すように、映像４１に関連付けられた字幕４５と、映像４１に前後する映像に関連付けられた字幕とを含む字幕群４４を、字幕表示部１３は、表示部１１に画面４０として表示できる。これにより、ユーザは現在表示中の映像に関連付けられた字幕のみならず、その前後の字幕も視聴できるため、コンテンツの内容をより理解しやすくなる。なお、本実施形態においては、映像記録部１７は、記録した映像を記録しつづける構成としているが、本発明はこれに限るものではなく、映像記録部１７は、映像表示部１２によって読み出された映像を順次削除する構成であってもよい。
【００６８】
また、本実施形態のコンテンツ表示装置１０においては、コンテンツ受信部１６が受信した動画コンテンツに含まれる映像を、映像記録部１７が所定の時間記録した後、映像表示部１２が表示部１１に表示する構成であるが、本発明はこれに限るものではなく、コンテンツ受信部１６が受信した動画コンテンツに含まれる映像を、映像表示部１２は、コンテンツ受信部１６より入力され、この入力された映像を表示部１１に表示する構成であってもよい。この場合、字幕表示部１３は、図２に示す字幕群２３のように、表示中の映像に関連付けられた字幕と、表示中の映像より一定時間前の映像に関連付けれた字幕とだけを、表示部１１に表示することになるが、映像表示部１２は、動画コンテンツの受信から遅延なく、言い換えれば、放送電波の受信に合わせてリアルタイムで、映像を表示部１１に表示できる。
【００６９】
また、本実施形態のコンテンツ表示装置１０は、上述した映像の表示タイミングを、受信した動画コンテンツの種類によって変えてもよい。例えば、受信した動画コンテンツが、ニュースなどの生放送のコンテンツであれば、映像の表示タイミングを遅らせ、一方、ドラマやバラエティ等の収録系のコンテンツであれば、映像の表示タイミングを遅らせずに表示する。なお、この動画コンテンツの種類は、ＥＰＧ（Ｅｌｅｃｔｒｏｎｉｃ  Ｐｒｏｇｒａｍ  Ｇｕｉｄｅ＝電子番組ガイド）などの情報を取得することにより、判断することができる。
【００７０】
（表示開始指示と同時に映像を表示）
コンテンツ表示装置１０は、受信した動画コンテンツに含まれる映像を所定時間記録し、映像を表示部１１に表示するより前に、当該映像に関連付けられた字幕を、先行して表示部１１に表示する。これにより、ユーザは、表示される動画コンテンツの内容をより把握できるという効果を奏する。しかしながら、この構成においては、受信した動画コンテンツに含まれる映像を、表示部１１に表示するまでに、一定時間必要となる。このため、ユーザが、動画コンテンツの表示開始を指示した直後においては、コンテンツ表示装置１０は、ユーザによる表示開始の指示を受け付けてから、映像を表示部１１に表示するまでに、一定の時間を要するという問題を有することになる。
【００７１】
ここで、本実施形態のコンテンツ表示装置１０は、上記の問題を回避するために、以下に説明する構成を備えてもよい。概略を説明すると、コンテンツ表示装置１０は、ユーザより動画コンテンツ表示開始を指示する表示開始指示を受け付けると、受信した動画コンテンツに含まれる映像を、表示開始指示の受付と同時に、映像記録部１７に記録するとともに、動画コンテンツの受信速度よりも遅い速度で表示部１１に表示する。これにより、コンテンツ表示装置１０は、ユーザからの表示開始指示受付直後から、映像を表示部１１に表示でき、かつ、表示開始指示を受け付けた時点から一定の時間が経過すると、表示中の映像よりも一定時間後の映像に関連付けられた字幕を、表示部１１に表示できる。
【００７２】
以下に、図６（ａ）〜（ｄ）を参照して具体的に説明する。図６（ａ）は、コンテンツ表示装置１０が通常動作時に表示する画面４０を示す図であり、図６（ｂ）〜（ｄ）は、表示開始指示受付直後から通常動作時までの、コンテンツ表示装置１０が記録する映像および表示する字幕の状態の遷移を示す図である。なお、上記の通常動作時とは、図６（ａ）に示す画面４０のように、字幕の表示領域全てに字幕群４４を表示しているときのことである。
【００７３】
まず、ユーザ操作入力部１５が、ユーザより表示開始指示を受け付けると、コンテンツ受信部１６は、放送電波より動画コンテンツの受信を開始する。さらに、受信した動画コンテンツに含まれる映像の記録を、映像記録部１７が開始するとともに、映像表示部１２は、映像記録部１７が記録した映像を読出し、動画コンテンツの受信速度よりも遅い速度で、表示部１１に表示する。一方、字幕表示部１１は、コンテンツ受信部１６が受信した動画コンテンツに含まれる字幕を、動画コンテンツの受信速度と同じ速度で、表示部１１に表示する。この表示開始指示の受付直後においては、図６（ｂ）に示すように、映像記録部１７が記録する映像は、表示部１１に表示中の映像だけであり、表示部１１に表示される字幕は、表示中の映像に関連付けられた字幕のみとなる。次に、表示開始指示の受付から一定の時間が経過すると、図６（ｃ）に示すように、映像記録部１７は、表示中の映像の後に続く映像を記録し、字幕表示部１３は、表示中の映像に関連付けられた字幕と、表示中の映像の後に続く映像に関連付けられた字幕と、既に表示された映像に関連付けれた字幕とを、表示部１１に表示できる。さらに、時間が経過すると、図６（ｄ）に示すように、字幕表示部１３は、表示中の映像に関連付けれた字幕と、該映像に前後する映像に関連付けれた字幕とによって、字幕の表示領域を埋めることができる。
【００７４】
なお、図６（ｂ）〜（ｄ）に示すように、画面４０に表示される、既に表示済の映像に関連付けられた字幕のデータ量と、表示中の映像よりも後の映像に関連付けられた字幕のデータ量とは、それぞれ異なる速度で増加する。これは、既に表示済の映像に関連付けられた字幕のデータ量は、映像の表示速度に応じて増加し、一方、表示中の映像よりも後の映像に関連付けられた字幕のデータ量は、動画コンテンツの受信速度と映像の表示速度との差に応じて、増加するためである。
【００７５】
また、上述した方法以外の、表示開始指示と同時に映像を表示する方法として、表示開始指示が受け付ける前、言い換えれば、表示部１１に映像および字幕を表示していない間において、常に一定量の動画コンテンツを受信および蓄積しておいてもよい。また、一定量の動画コンテンツを受信および蓄積する代わりに、常に一定量の字幕のみを受信および蓄積する構成であってもよい。このように、字幕のみを受信および蓄積することにより、動画コンテンツを受信および蓄積するためのチューナや画像処理回路、メモリなどの各種ハードウェアを常に動作させる必要がないため、動画コンテンツを受信および蓄積するよりも、消費電力を抑えることができる。
【００７６】
（映像表示速度の切換）
図６（ａ）〜（ｄ）に示したように、コンテンツ表示装置１０は、ユーザより表示開始指示を受け付けると、受信した動画コンテンツに含まれる映像を、受信速度より遅い速度で表示部１１に表示する。この後、任意の時間が経過して、図６（ａ）および（ｄ）に示すように、字幕を表示する表示領域が字幕で埋められると、言い換えれば、表示部に表示されている字幕のデータ量が、所定のデータ量となった時点で、コンテンツ表示装置１０は、映像の表示速度を、動画コンテンツの受信速度と同じ速度に切換える。これにより、映像の表示速度を遅くしたことによって、ユーザが感じる違和感を払拭できる。
【００７７】
具体的に説明すると、まず、映像表示部１２は、動画コンテンツの受信速度より遅い速度で、映像を表示部１１に表示しているとする。このとき、字幕表示部１３は、表示部１１に表示している字幕のデータ量（以下、表示中字幕データ量とする）と、予め設定されいるデータ量（以下、設定データ量とする）とを比較する。ここで、字幕表示部１３は、表示中字幕データ量が設定データ量を上回ったことを検出すると、映像表示部１２に、表示中字幕データ量が設定データ量を上回ったことを示す通常動作切替信号を出力する。映像表示部１２は、通常動作切替信号を出力されると、動画コンテンツの受信速度と同じ速度で、映像を表示部１１に表示する。
【００７８】
なお、コンテンツ表示装置１０は、受信した動画コンテンツに含まれる映像を、動画コンテンツの受信速度より遅い速度で表示部１１に表示している期間、映像を通常動作よりも遅く速度で表示していることを示す情報や、字幕のデータを取得中であることを示す情報（例えば、「データバッファリング中」など）を、表示部１１に表示してもよい。
（映像表示速度の逐次増加）
また、コンテンツ表示装置１０は、表示開始指示の受付直後から、映像の表示速度を動画コンテンツの受信速度と同じ速度に切換えるまでの間、表示速度を逐次増加させることが好ましい。
【００７９】
以下に、映像の表示速度を逐次増加させる方法について、図７を参照して具体的に説明する。図７は、表示開始指示の受付時点から、映像の表示速度を動画コンテンツの受信速度と同じ速度に切換える時点までの、映像表示部１２における映像の表示速度の変化を示す図である。
【００８０】
図７に示すように、ユーザ操作入力部１５がユーザより表示開始指示を受信した時点（以下、時間ｔ０とする）においては、映像表示部１２は、動画コンテンツの受信速度に対して０．９倍の速度によって、映像を表示部１１に表示する。ここで、時間ｔ０から時間ｔ１に、さらに時間ｔ１から時間ｔ２へと時間が経過するにつれ、字幕表示部１３が表示している表示中字幕データ量は増加する。ここで、時間ｔ２において、表示中字幕データ量が、設定データ量に達したとすると、映像表示部１２は、時間ｔ０から時間ｔ２までの期間において、映像の表示速度を逐次増加させ、時間ｔ２において、動画コンテンツの受信速度と同じ速度で、映像を表示部１１に表示する。なお、時間ｔ２以降においては、映像表示部１２は、動画コンテンツの受信速度と同じ速度で、映像を表示部１１に表示する。
【００８１】
ここで、時間ｔ０から時間ｔ２までにおける、コンテンツ表示装置１０における動作処理を、以下により具体的に説明する。時間ｔ０から時間ｔ２までにおいて、字幕表示部１３は、表示部１１に表示している表示中字幕データ量を、所定のタイミングで検出し、検出した表示中字幕データ量を、映像表示部１２に出力する。映像表示部１２は、出力された表示中字幕データ量に応じて、映像の表示速度を増加させる。
【００８２】
以上のように、時間ｔ０から時間ｔ２までにおいて、映像表示部１２は、映像の表示速度を逐次増加させる。これにより、時間ｔ２において、コンテンツ表示装置１０は、映像の表示速度を、動画コンテンツの受信速度と同じ速度に切換えたとしても、この表示速度の切り換りに起因する、ユーザが感じる違和感を低減できる。
【００８３】
なお、本実施形態においては、時間ｔ０における映像の表示速度を、動画コンテンツの受信速度の０．９倍としているが、本発明はこれに限るものではなく、この値は、適宜変更可能である。
【００８４】
（選択された字幕に同期して映像を表示）
本実施形態に係るコンテンツ表示装置１０において、ユーザは、画面に表示中の字幕を押下することによって、任意の字幕を選択することができる。以下に、この構成を、図８を参照して説明する。図８は、ユーザによって選択された字幕と、表示部１１に表示される映像との関係を示す図である。
【００８５】
まず、図８においては、コンテンツ表示装置１０は、字幕群４４と、字幕４５に関連付けられた映像４１とを、画面４０に表示している。ここで、ユーザが画面４０に表示されている任意の字幕を押下すると、ユーザ操作入力部１５は、ユーザによって任意の字幕が選択されたこと示す選択指示を、映像表示部１２に出力する。映像表示部１２は、この選択された字幕に関連付けられた映像を、映像記録部１７より読出し、表示部１１に表示する。なお、各字幕に関連付けられた映像を、字幕ごとに１つの静止画として画像記録部１８が記録し、選択指示を出力された映像表示部１２は、この画像記録部１８より、選択された字幕に関連付けられた静止画を読み出して、表示部１１に表示する構成としてもよい。この場合、映像記録部１７は、映像表示部１２が一度表示した映像を、記録しつづける必要がないため、記録部１４の記録容量を削減することができる。
【００８６】
（映像と字幕とを異なる表示部に表示）
また、本実施形態に係るコンテンツ表示装置１０を２つ備えたコンテンツ表示システムにおいて、一方のコンテンツ表示装置１０が、動画コンテンツに含まれる映像を表示し、他方のコンテンツ表示装置１０が、該動画コンテンツに含まれる字幕を表示する構成であってもよい。
【００８７】
例として、上記コンテンツ表示システムにおいて、１つのコンテンツ表示装置１０がテレビ受像機（以下、テレビとする）であり、もう１つのコンテンツ表示装置１０が携帯電話等の携帯型情報端末（以下、携帯端末とする）である場合の、テレビおよび携帯端末における動作を、以下に説明する。なお、このコンテンツ表示システムを構成するテレビおよび携帯端末は、互いにデータを送受信するための送受信手段を、それぞれ備えているものとする。
【００８８】
まず、テレビが動画コンテンツを取得し、該動画コンテンツに含まれる映像を、自身の表示部に表示する。さらにテレビは、映像を表示部に表示するとともに、該映像に関連付けられた字幕を上記動画コンテンツより取得し、送受信手段を用いて携帯端末に送信する。一方、携帯端末は、自身の送受信手段によってテレビより受信した字幕を、自身の表示部に表示する。なお、テレビにおける映像の表示方法、および、携帯端末における字幕の表示方法については、既に述べたとおりである。
【００８９】
なお、テレビおよび携帯端末のそれぞれが備える送受信手段は、互いが通信可能であれば、その具体的な手段は限定されるものではない。例えば、ＩｒＤＡおよびＢｌｕｅｔｏｏｔｈ（登録商標）のような無線通信であってもよく、有線通信であってもよい。また、ネットワーク通信を利用してもよい。
【００９０】
（字幕情報の利用）
また、本実施形態に係るコンテンツ表示装置１０は、字幕記録部１９に記録した字幕を解析する字幕解析部（図示しない）を備え、この字幕解析部による解析結果を用いて、表示部１１に表示する映像を切換える等、各種多様な制御を行うことが可能である。
【００９１】
（プログラムおよび記録媒体）
最後に、コンテンツ表示装置１０に含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【００９２】
すなわちコンテンツ表示装置１０は、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【００９３】
この記録媒体は、上述した機能を実現するソフトウェアであるコンテンツ表示装置１０のプログラムのプログラムコード（実行形式プログラム、中間コードプログラム、ソースプログラム）をコンピュータで読み取り可能に記録していればよい。コンテンツ表示装置１０に、この記録媒体を供給する。これにより、コンピュータとしてのコンテンツ表示装置１０（またはＣＰＵやＭＰＵ）が、供給された記録媒体に記録されているプログラムコードを読み出し、実行すればよい。
【００９４】
プログラムコードをコンテンツ表示装置１０に供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【００９５】
また、コンテンツ表示装置１０を通信ネットワークと接続可能に構成しても、本発明の目的を達成できる。この場合、上記のプログラムコードを、通信ネットワークを介してコンテンツ表示装置１０に供給する。この通信ネットワークはコンテンツ表示装置１０にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【００９６】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【００９７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００９８】
本発明は、映像と字幕等の付加情報とが関連付けられた構造の動画コンテンツを表示する各種装置に適用することができ、例えば、携帯電話端末、ＰＤＡ、テレビ（テレビジョン受像機）、パーソナルコンピュータ等に幅広く利用することができる。
【図面の簡単な説明】
【００９９】
【図１】本発明の実施形態に係る、コンテンツ表示装置の構成を示すブロック図である。
【図２】本発明の実施形態に係る、コンテンツ表示装置による動画コンテンツ表示を概略的に示す図である。
【図３】本発明の実施形態に係る、コンテンツ表示装置が表示する画面の一例を示す図である。
【図４】本発明の実施形態に係る、コンテンツ表示装置が表示する画面の他の例を示す図である。
【図５】本発明の実施形態に係る、図４に示す画面と、コンテンツ表示装置において記録される映像および表示される字幕との関係を示す図である。
【図６】図６（ａ）〜（ｄ）は、本発明の実施形態に係る、コンテンツ表示装置が記録する映像および表示する字幕との、時間の経過に伴う遷移を示す図である。
【図７】本発明の実施形態に係る、ユーザによる表示開始指示を受け付けた後の、コンテンツ表示装置における映像の表示速度の変化を示す図である。
【図８】本発明の実施形態に係る、コンテンツ表示装置において、ユーザが表示中の字幕を選択した場合における、選択された字幕と、表示される映像との関係を示す図である。
【符号の説明】
【０１００】
１０    コンテンツ表示装置
１１    表示部
１２    映像表示部（映像表示手段）
１３    字幕表示部（付加情報表示手段）
１４    記録部
１５    ユーザ操作入力部（表示開始入力手段、再表示入力手段、選択受付手段）
１６    コンテンツ受信部
１７    映像記録部（映像記録手段）
１８    画像記録部（画像記録手段）
１９    字幕記録部（付加情報記録手段）
２１    映像
２４    字幕（付加情報）
３１    映像
３５    字幕（付加情報）
４１    映像
４５    字幕（付加情報）
【図１】
2009218741.tif 000003
【図２】
2009218741.tif 000004
【図３】
2009218741.tif 000005
【図４】
2009218741.tif 000006
【図５】
2009218741.tif 000007
【図６】
2009218741.tif 000008
【図７】
2009218741.tif 000009
【図８】
2009218741.tif 000010